(57)【要約】地理的エリアにおける人口流動の調査に供するデータを速やかに（ほぼリアルタイムに）提供できる移動体通信システム。無線ネットワーク制御装置（３００）は、発信または位置登録要求に際して、各移動機（１００）がどの基地局（２００）のどのセクタのどこに位置しているか、測位計算により測定し、位置、移動機のテンポラリＩＤ、および時刻を含んだメッセージを交換機（４００）へと送る。情報分析装置（６００）は、それらの情報に基づく移動情報の中から特定の時刻やデモグラフィック属性によって移動情報を抽出し、それらをエリアからエリアへの移動としてプロットしたり、ある時間幅で総計された各流動人口を表示したりする。
2010116916.tif 000002
【特許請求の範囲】
【請求項１】
基地局が制御するセクタに在圏する移動機と、前記基地局を制御する無線ネットワーク制御装置と、前記無線ネットワーク制御装置と通信可能な状態で接続された情報分析装置と、を含んで構成される通信システムであって、
前記無線ネットワーク制御装置は、
前記移動機の位置を測位する測位部と、
前記測位部が測位した前記移動機の位置に関する情報としての位置情報、該移動機を一意に識別可能とする識別子としての識別情報、及び前記測位部が前記移動機の位置を測位した時刻に関する情報としての時刻情報を前記情報分析装置に送信する送信部と、を備え、
前記情報分析装置は、
所定の時刻における前記移動機の移動状況を示す移動情報であって、少なくとも前記位置情報に対応する情報を含む移動情報を、前記位置情報、前記識別情報、及び前記時刻情報に基づいて抽出する位置抽出部と、
前記移動情報を統合することによって移動総計情報を算出し、算出した移動総計情報を出力する出力部と、を備える
ことを特徴とする通信システム。
【請求項２】
前記測位部は、
前記移動機が発信を行ったとき、
前記移動機が通信を受信したとき、
前記基地局により形成される領域であって前記移動機が自己の位置を前記無線ネットワーク制御装置に対して登録する単位領域である位置登録エリア、の境界を超えて前記移動機が移動したとき、及び、
所定の周期の所定タイミングが到来したとき、
のうち少なくとも何れか一つを契機として、前記移動機の位置を測位する請求項１に記載された通信システム。
【請求項３】
前記情報分析装置は、前記位置抽出部が抽出した移動情報の表現形式を、一定の範囲の広がりをもつエリア単位に対応付けて一のエリア単位から他のエリア単位への移動として表現する表現形式へと変換する対応付け部を更に備える請求項１又は２に記載の通信システム。
【請求項４】
前記情報分析装置は、
前記通信システムを利用するユーザの属性を表す属性情報を、前記識別情報と関連付けて保持する属性情報保持部と、
前記属性情報保持部が保持する属性情報に基づいて前記移動情報を統合して前記移動総計情報を出力するために用いるべきか否かを判断する属性判断部と、
を更に備える請求項１〜３の何れか１項に記載の通信システム。
【請求項５】
前記所定の時刻は時間幅を有し、当該時間幅は任意に設定可能とされている、
ことを特徴とする請求項１〜４の何れか１項に記載の通信システム。
【請求項６】
前記位置抽出部は、前記時間幅を有する所定の時刻における移動情報については、前記時間幅を複数に区切ることで得られた複数の時間帯それぞれの移動情報を抽出し、
前記出力部は、前記複数の時間帯それぞれについて前記移動情報を統合することで各時間帯における移動総計情報を算出し、前記各時間帯における移動総計情報を統合することで、前記時間幅を有する所定の時刻における移動総計情報を算出する、
ことを特徴とする請求項５に記載された通信システム。
【請求項７】
前記出力部は、前記時間幅を有する所定の時刻における移動総計情報を出力する、
ことを特徴とする請求項６に記載された通信システム。
【請求項８】
移動機が在圏するセクタを制御する基地局を制御する無線ネットワーク制御装置と通信可能な状態で接続された情報分析装置であって、
前記無線ネットワーク制御装置が測位した前記移動機の位置に関する情報としての位置情報と、該移動機を一意に識別可能とする識別子としての識別情報と、前記無線ネットワーク制御装置が前記移動機を測位した時刻に関する情報としての時刻情報と、を受信する受信部と、
所定の時刻における前記移動機の移動状況を示す移動情報であって、少なくとも前記位置情報に対応する情報を含む移動情報を、前記受信部が受信した前記位置情報、前記識別情報、及び前記時刻情報に基づいて抽出する位置抽出部と、
前記移動情報を統合することによって移動総計情報を算出し、算出した移動総計情報を出力する出力部と、
を備える情報分析装置。
【請求項９】
基地局が制御するセクタに在圏する移動機と、前記基地局を制御する無線ネットワーク制御装置と、前記無線ネットワーク制御装置と通信可能な状態で接続された情報分析装置と、を含んで構成される通信システムにおいて実行される情報分析方法であって、
前記無線ネットワーク制御装置が、前記移動機の位置を測位する測位ステップと、
前記無線ネットワーク制御装置が、前記測位ステップにおいて測位された前記移動機の位置に関する情報としての位置情報、該移動機を一意に識別可能とする識別子としての識別情報、及び前記測位ステップにおいて前記移動機の位置が測位された時刻に関する情報としての時刻情報を前記情報分析装置に送信する送信ステップと、
前記情報分析装置が、所定の時刻における前記移動機の移動状況を示す移動情報であって、少なくとも前記位置情報に対応する情報を含む移動情報を、前記位置情報、前記識別情報、及び前記時刻情報に基づいて抽出する位置抽出ステップと、
前記情報分析装置が、前記移動情報を統合することによって移動総計情報を算出し、算出した移動総計情報を出力する出力ステップと、
を備える情報分析方法。
【発明の詳細な説明】
【技術分野】
【０００１】
本発明は、人口流動数の推定を行う情報分析装置および情報分析方法、並びに、情報分析装置を含んで構成される通信システムに関する。
【背景技術】
【０００２】
従来、巨視的な人口流動に関するデータを収集する手法として、５年周期で全国的に実施される国勢調査、対象者の行動履歴を調査するパーソントリップ調査があった。これらの国勢調査やパーソンとリップ調査は、対象者に対しアンケートを配布して回収し、多くの人手を使って集計するなどの非常に手間のかかる一連の作業が必要であり、調査結果を得るまでに時間がかかっていた。また、回答する世帯主等にとってもアンケートに記入して返送するといった負担を強いるものであった。
【先行技術文献】
【特許文献】
【０００３】
【特許文献１】特開２００５−２０２５４６号公報
【発明の概要】
【発明が解決しようとする課題】
【０００４】
上記のように、従来は巨視的な人口流動に関するデータを収集するだけでも非常に面倒であり、かかるデータを簡易に且つ速やかに収集し、及び調査結果を得ることは困難であった。【０００５】
一方、駅の乗降者数に基づいて人の移動量を推定する技術が特許文献１に記載されているが、この技術でも、推定の基礎データとなる駅の乗降者数を求めるための処理負荷と時間を要する。そのため、より簡易且つ速やかな人口流動に関するデータを収集し、及び調査する技術が待望されていた。【０００６】
本発明は、上記課題に鑑み、巨視的な人口流動に関するデータを簡易に且つ速やかに収集し、簡易に且つ速やかに調査結果を得ることを目的とする。
【課題を解決するための手段】
【０００７】
前記課題を解決するため、本発明の一側面に係る通信システムは、基地局が制御するセクタに在圏する移動機と、基地局を制御する無線ネットワーク制御装置と、無線ネットワーク制御装置と通信可能な状態で接続された情報分析装置と、を含んで構成される通信システムであって、無線ネットワーク制御装置は、移動機の位置を測位する測位部と、測位部が測位した移動機の位置に関する情報としての位置情報、該移動機を一意に識別可能とする識別子としての識別情報、及び測位部が移動機の位置を測位した時刻に関する情報としての時刻情報を情報分析装置に送信する送信部を備え、情報分析装置は、所定の時刻における移動機の移動状況を示す移動情報であって、少なくとも位置情報に対応する情報を含む移動情報を、位置情報、識別情報、及び時刻情報に基づいて抽出する位置抽出部と、移動情報を統合することによって移動総計情報を算出し、算出した移動総計情報を出力する出力部と、を備える。【０００８】
この構成により、移動機の位置情報、及び測位された時刻に関する情報を簡易に且つ速やかに収集して、それらの情報に基づいて移動機の移動情報を統合した移動総計情報を出力することにより、巨視的な人口流動に関するデータ調査結果を簡易に且つ速やかに得ることが可能となる。【０００９】
また、測位部は、移動機が発信を行ったとき、移動機が通信を受信したとき、前記基地局により形成される領域であって前記移動機が自己の位置を前記無線ネットワーク制御装置に対して登録する単位領域である位置登録エリア、の境界を超えて前記移動機が移動したとき、及び、所定の周期の所定タイミングが到来したとき、のうち少なくとも何れか一つを契機として移動機の位置を測位してもよい。【００１０】
移動機が発信を行ったとき、移動機が通信を受信したとき、及び、基地局により形成される領域であって移動機が自己の位置を無線ネットワーク制御装置に対して登録する単位領域である位置登録エリア、の境界を超えて移動機が移動したとき、に測位することによって、各種通信機器への追加的な付加を抑制した上で測位を実行することが可能となる。【００１１】
また、所定の周期の所定タイミングが到来したときに測位を行うことによって、該所定の周期に一度は必ず測位を実行することが可能となる。【００１２】
また、情報分析装置は、位置抽出部が抽出した移動情報の表現形式を、一定の範囲の広がりをもつエリア単位に対応付けて一のエリア単位から他のエリア単位への移動として表現する表現形式へと変換する対応付け部を更に備えてもよい。【００１３】
エリア単位を所望の単位（例えば１００メートル四方、１０キロメートル四方、或いは市町村など行政区画）とすることによって要求に応じた精度で移動総計情報を出力することが可能となる。【００１４】
また、情報分析装置は、通信システムを利用するユーザの属性を表す属性情報を、識別情報と関連付けて保持する属性情報保持部と、属性情報保持部が保持する属性情報に基づいて移動情報を統合して移動総計情報を出力するために用いるべきか否かを判断する属性判断部と、を更に備えてもよい。【００１５】
この構成により、所望の属性毎の移動総計情報を出力することが可能となる。【００１６】
また、前述した移動情報に関する所定の時刻は時間幅を有し、当該時間幅は任意に設定可能としてもよい。このとき、位置抽出部は、時間幅を有する所定の時刻における移動情報については、時間幅を複数に区切ることで得られた複数の時間帯それぞれの移動情報を抽出し、出力部は、複数の時間帯それぞれについて移動情報を統合することで各時間帯における移動総計情報を算出し、各時間帯における移動総計情報を統合することで、時間幅を有する所定の時刻における移動総計情報を算出してもよい。また、出力部は、時間幅を有する所定の時刻における移動総計情報を出力してもよい。【００１７】
このような場合、時間幅を有する所定の時刻における移動総計情報を得ることができ、これに伴い、例えば、一のエリア単位から、当該一のエリア単位に隣接しない他のエリア単位への移動に関する移動総計情報を得ることが可能となる。【００１８】
また、上記課題を解決するために、本発明の一側面に係る情報分析装置は、移動機が在圏するセクタを制御する基地局を制御する無線ネットワーク制御装置と通信可能な状態で接続された情報分析装置であって、無線ネットワーク制御装置が測位した移動機の位置に関する情報としての位置情報と、該移動機を一意に識別可能とする識別子としての識別情報と、無線ネットワーク制御装置が移動機を測位した時刻に関する情報としての時刻情報と、を受信する受信部と、所定の時刻における移動機の移動状況を示す移動情報であって、少なくとも位置情報に対応する情報を含む移動情報を、受信部が受信した位置情報、識別情報、及び時刻情報に基づいて抽出する位置抽出部と、移動情報を統合することによって移動総計情報を算出し、算出した移動総計情報を出力する出力部と、を備える。【００１９】
この構成により、移動機の位置情報、及び測位された時刻に関する情報を簡易に且つ速やかに収集して、それらの情報に基づいて移動機の移動情報を統合した移動総計情報を出力することにより、巨視的な人口流動に関するデータ調査結果を簡易に且つ速やかに得ることが可能となる。【００２０】
上記課題を解決するために、本発明の一側面に係る情報分析方法は、基地局が制御するセクタに在圏する移動機と、基地局を制御する無線ネットワーク制御装置と、無線ネットワーク制御装置と通信可能な状態で接続された情報分析装置と、を含んで構成される通信システムにおいて実行される情報分析方法であって、無線ネットワーク制御装置が、移動機の位置を測位する測位ステップと、無線ネットワーク制御装置が、測位ステップにおいて測位された移動機の位置に関する情報としての位置情報、該移動機を一意に識別可能とする識別子としての識別情報、及び測位ステップにおいて移動機の位置が測位された時刻に関する情報としての時刻情報を情報分析装置に送信する送信ステップと、情報分析装置が、所定の時刻における移動機の移動状況を示す移動情報であって、少なくとも位置情報に対応する情報を含む移動情報を、位置情報、識別情報、及び時刻情報に基づいて抽出する位置抽出ステップと、情報分析装置が、移動情報を統合することによって移動総計情報を算出し、算出した移動総計情報を出力する出力ステップと、を備える。【００２１】
この構成により、移動機の位置情報、及び測位された時刻に関する情報を簡易に且つ速やかに収集して、それらの情報に基づいて移動機の移動情報を統合した移動総計情報を出力することにより、巨視的な人口流動に関するデータ調査結果を簡易に且つ速やかに得ることが可能となる。
【発明の効果】
【００２２】
本発明によれば、巨視的な人口流動に関するデータを簡易に且つ速やかに（準リアルタイムに）収集し、調査結果を得ることができる。
【図面の簡単な説明】
【００２３】
【図１】第１実施形態の通信システムのシステム構成を示す図である。
【図２】図１に示す通信システムの機能構成を示す図である。
【図３】図２に示すＢＴＳとセクタとの関係を示す図である。
【図４】ユーザＩＤ−ＰＲＡＣＨ  ＰＤ  ＧＡＩ対応情報の例を示す図である。
【図５】移動情報の算出方法を説明するための図である。
【図６】移動情報の算出方法を説明するための図である。
【図７】図２に示す位置抽出部が出力する移動情報の例を示す図である。
【図８】セクタボロノイ図を説明するための図である。
【図９】エリア単位と移動情報の関係を説明するための図である。
【図１０】図２に示す属性情報保持部が保持する属性情報の例を示す図である。
【図１１】属性情報とエリア単位の関係を説明するための図である。
【図１２】図２に示す出力部が移動情報を統合することによって移動総計情報を算出する方法を説明するための図である。
【図１３】図２に示す出力部が出力する移動総計情報の表示例を示す図である。
【図１４】図２に示す通信システムにおける処理の流れを示す図である。
【図１５】第２実施形態の通信システムのシステム構成を示す図である。
【発明を実施するための形態】
【００２４】
添付図面を参照しながら本発明の実施形態を説明する。可能な場合には、同一の部分には同一の符号を付して、重複する説明を省略する。
【００２５】
［第１実施形態］
［通信システムの構成］
図１は、本実施形態の通信システム１０のシステム構成を示す図である。図１に示すように、この通信システム１０は、移動機１００、ＢＴＳ（基地局）２００、ＲＮＣ（無線ネットワーク制御装置）３００、交換機４００、および管理センタ５００を含んで構成されている。また、この管理センタ５００は、社会センサユニット５０１、ペタマイニングユニット５０２、モバイルデモグラフィーユニット５０３、および可視化ソリューションユニット５０４から構成されている。
【００２６】
交換機４００は、ＢＴＳ２００、ＲＮＣ３００を介して、移動機１００の位置情報を収集する。ＲＮＣ３００は、移動機１００との間で通信接続が行われる際に、ＲＲＣコネクション要求信号における遅延値を用いて移動機１００の位置を測定することができる。交換機４００は、このように測定された移動機１００の位置情報を、移動機１００が通信接続を実行する際に受け取ることができる。交換機４００は受け取った位置情報を記憶しておき、所定のタイミング、または管理センタ５００からの要求に応じて収集した位置情報を管理センタ５００に出力する。ここで、一般的に、ＲＮＣ３００は、約千個からなるものであり、日本全国に配置されている。一方で、交換機４００は、３００個程度日本国内に配置されている。
【００２７】
管理センタ５００は、上述したとおり、社会センサユニット５０１、ペタマイニングユニット５０２、モバイルデモグラフィーユニット５０３、および可視化ソリューションユニット５０４を含んで構成されており、各ユニットでは、移動機１００の位置情報を用いた統計処理を行う。
【００２８】
社会センサユニット５０１は、各交換機４００から移動機１００の位置情報等を含んだデータを収集するサーバ装置である。この社会センサユニット５０１は、交換機４００から定期的に出力されたデータを受信し、及び社会センサユニット５０１において予め定められたタイミングに従って交換機４００からデータを取得するように構成されている。
【００２９】
ペタマイニングユニット５０２は、社会センサユニット５０１から受信したデータを所定のデータ形式に変換するサーバ装置である。例えば、ペタマイニングユニット５０２は、ユーザＩＤをキーに、或いはエリアごとにソーティング処理を行う。
【００３０】
モバイルデモグラフィーユニット５０３は、ペタマイニングユニット５０２において処理されたデータに対する集計処理、すなわち各項目のカウンティング処理を行うサーバ装置である。例えば、モバイルデモグラフィーユニット５０３は、あるエリアに在圏するユーザ数のカウント、或いは在圏分布の集計等をすることができる。
【００３１】
可視化ソリューションユニット５０４は、モバイルデモグラフィーユニット５０３において集計処理されたデータを可視可能に処理するサーバ装置である。例えば、可視化ソリューションユニット５０４は、集計されたデータを地図上にマッピング処理することができる。この可視化ソリューションユニット５０４にて処理されたデータは、企業、官公庁または個人等に提供され、店舗開発、道路交通調査、災害対策、環境対策などに利用される。なお、このように統計処理された情報は、当然にプライバシーを侵害しないように個人等は特定されないように加工されている。
【００３２】
なお、社会センサユニット５０１、ペタマイニングユニット５０２、モバイルデモグラフィーユニット５０３および可視化ソリューションユニット５０４はいずれも、前述したようにサーバ装置により構成され、図示は省略するが、通常の情報処理装置の基本構成（即ち、ＣＰＵ、ＲＡＭ、ＲＯＭ、キーボードやマウス等の入力デバイス、外部との通信を行う通信デバイス、情報を記憶する記憶デバイス、および、ディスプレイやプリンタ等の出力デバイス）を備えることは言うまでもない。
【００３３】
図２に通信システム１０の機能構成を示す。図２に示すように通信システム１０は、複数のＢＴＳ（基地局）２００それぞれが制御するセクタに在圏する複数の移動機１００と、ＢＴＳ２００を制御するＲＮＣ３００と、交換機４００と、情報分析装置６００と、加入者プロファイル情報記憶部７００と、を含んで構成される。情報分析装置６００は、前述した図１に示したモバイルデモグラフィーユニット５０３および可視化ソリューションユニット５０４に相当する。図１の社会センサユニット５０１およびペタマイニングユニット５０２に対応する機能に関しては、図２ではこれらの表記を省略している。
【００３４】
ＲＮＣ３００は、測位部３０１およびＲＮＣ通信制御部（送信部）３０２を含んで構成されている。また、交換機４００は、交換機通信制御部４０１、変換部４０２、および記憶部４０３を含んで構成されている。
【００３５】
情報分析装置６００は、情報分析装置通信制御部（受信部）６０１、対応付け部６０３、出力部６０４、位置抽出部６０５、属性情報保持部６０７、及び属性判断部６０８を含んで構成されている。
【００３６】
まず、ＲＮＣ３００について説明する。測位部３０１は、後述するＲＮＣ通信制御部３０２がＢＴＳ２００を介して移動機１００と通信接続を行う際に、ＲＲＣコネクション要求信号を用いた処理で発生した遅延値に基づいて、移動機１００が在圏する一のＢＴＳ２００におけるセクタ内の位置（座標）を測定する部分である。このＲＮＣ３００は、所謂ＰＲＡＣＨ  ＰＤ測位計算を行うことによりセクタ内の位置を測定することができる。ここでセクタとは、ＢＴＳ２００における通信エリアを複数に等分した場合の一つの領域を指すものである。なお、通信環境に応じて上記ＰＲＡＣＨ  ＰＤ測位を行うことなく、移動機１００が在圏するセクタの中心座標を、移動機１００が位置する座標として計測してもよい。
【００３７】
図３は、ＢＴＳ２００とセクタとの関係を示す図である。円形で示されている領域の中心にＢＴＳ２００が位置するものであり、それを中心に複数に等分されたものがセクタである。例えば図３では、ＢＴＳ２００の通信エリアは最大６セクタからなるものであり、ＲＮＣ３００は、移動機１００がそのセクタのいずれにいるかを、ＢＴＳ２００経由で把握することができる。本実施形態では、さらにＲＲＣコネクション要求の処理を行った際に得られる信号の遅延に基づいてセクタ内のどの位置に移動機１００が位置するか、そのＧＡＩ（Geographical  Area  ID）を算出することができる。なお、セクタごとにセクタＩＤが割り当てられており、そのセクタＩＤとセクタ内の位置に基づいて移動機１００の位置を特定することができる。上記環境に応じてＰＲＡＣＨ  ＰＤ測位を行わない場合には、上記計測した移動機１００が在圏するセクタの中心座標を、ＧＡＩとして算出してもよい。
【００３８】
ＲＮＣ通信制御部３０２は、ＢＴＳ２００を介して移動機１００と通信接続を行う部分であり、例えば、移動機１００からの発信処理に基づいた通信接続処理および位置登録要求に基づいた通信接続処理を行う。本実施形態では、さらにＲＮＣ通信制御部３０２は、通信接続処理に用いられるInitial  UE  Messageに、移動機１００の位置情報を付加して、交換機４００に送信することができる。なお、このInitial  UE  Messageは、発信または位置登録要求を示す指示情報、移動機１００を一意に特定するテンポラリＩＤ、および位置情報を含んでいる。なお、テンポラリＩＤとは、移動機１００がネットワークに接続した際に、交換機４００により払い出されたＩＤ情報である。
【００３９】
つぎに、交換機４００について説明する。交換機通信制御部４０１は、ＲＮＣ３００から送信されるInitial  UE  Messageを受信し、このInitial  UE  Messageを用いて通信接続処理を行う部分である。
【００４０】
変換部４０２は、交換機通信制御部４０１により受信されたInitial  UE  Messageに含まれているテンポラリＩＤを電話番号に変換する部分である。変換部４０２は、変換処理に際して、加入者プロファイル情報を記憶する加入者プロファイル情報記憶部７００から、テンポラリＩＤに対応付けられている電話番号を抽出し、当該抽出した電話番号に変換する。なお、この加入者プロファイル情報記憶部７００は、例えばＨＬＲ（Home  Location  Register）に備えられているものであり、ここではテンポラリＩＤと電話番号とを対応付けて管理及び記憶している。
【００４１】
記憶部４０３は、変換部４０２で変換された電話番号とInitial  UE  Messageに含まれている移動機１００の位置情報と当該位置情報が測位された時刻とを対応付けて記憶する部分である。この記憶部４０３に記憶されている位置情報は、交換機通信制御部４０１による通信処理に従って、後述する所定のタイミングまたは管理センタ５００からの要求に応じて収集される。
【００４２】
交換機通信制御部４０１は、記憶部４０３が記憶している電話番号（移動機１００を一意に識別可能とする識別子としての識別情報）、位置情報、及び該位置情報が測位された時刻としての時刻情報を情報分析装置６００へ送信する。
【００４３】
次に、情報分析装置６００について説明する。情報分析装置通信制御部６０１は、交換機４００が送信した電話番号と、移動機１００の位置情報と、該位置情報が測位された時刻情報と、を受信する部分である。
【００４４】
位置抽出部６０５は、情報分析装置通信制御部６０１から電話番号、位置情報、及び時刻情報を入力し、所望の時刻における移動機１００の移動状況を示す情報である移動情報を出力する部分である。
【００４５】
ここで、所望の時刻における移動機の１００の移動状況とは、例えば、設定した時刻における直前に測位された位置から、直後に測位された位置への移動を指す。以下説明のための例では、所望の時刻における移動機の１００の移動状況として、設定した時刻における直前に測位された位置から、直後に測位された位置への移動を用いて説明しているが、これに限ることを意図しない。例えば、所望の時刻の直前に測位された複数の位置情報（移動モデル）を用いて、所望の時刻における移動状況（今の移動モデル）を推定してもよい。例えばこの場合、直前の２個の測定位置を結ぶ直線をそのまま延長して、時間按分によって所望の時刻における移動状況を推定してもよい。２個以上の測定位置を用いても勿論よい。
【００４６】
ここで、図４〜７を参照して、所望の時刻の直近における移動機１００の位置の抽出方法について説明する。
【００４７】
図４には位置抽出部６０５が利用する情報の例を示す。この図に示すように、位置抽出部６０５が利用する情報は、時刻情報、位置情報、及び位置情報取得契機が、ユーザＩＤと関連付けられた情報である（以後、この情報のことを「ユーザＩＤ−ＰＲＡＣＨ  ＰＤ  ＧＡＩ対応情報」と称することがある）。
【００４８】
「ユーザＩＤ」について、情報分析装置６００は、ユーザＩＤが電話番号と関連付けられて保持されている保持手段（図示せず）を参照することで、情報分析装置通信制御部６０１から入力した電話番号と関連付けられたユーザＩＤを取得する。
【００４９】
「時刻情報」には、位置情報を測位した時刻が保持されている。また、「位置情報」には、上述した方法により所謂ＰＲＡＣＨ  ＰＤ測位計算を行うことにより測位された移動機１００の位置情報、或いは、移動機１００が在圏するセクタの中心座標に関する情報が保持されている。位置情報は経度及び緯度で表現してもよい。或いは、基準点を設定して、当該基準点からの相対的な位置で表示してもよい。
【００５０】
「位置情報取得契機」には、移動機１００の位置情報が測位された契機の種別が保持される。移動機１００の位置が測位される契機は（１）周期的（例えば約一時間周期）、（２）発着信時、及び（３）位置登録エリアを越えて移動した場合、の少なくとも一つとすることが好適である。但し、測位される契機はこれらに限定されるわけではなく、所望の契機を設定可能である。
【００５１】
今、時刻１１時における人口の流量を求めたいとする。この場合、位置抽出部６０５は、図４に示す情報の中からユーザＩＤ毎に「時刻」が１１時の直前及び直後の情報を選別する。選別される情報の例を図５及び図６に示す。図５には、所望の時刻の直前の情報を、及び図６には所望の時刻の直後の情報を示す。例えば、ユーザＩＤが“１２３”であるユーザが所有する移動機１００の場合測位は１０時３０分、１１時３０分、及び１１時４５分に行われている。この場合、所望の時刻（今回の例では１１時）の前後である１０時３０分に測位された情報、及び１１時３０分に測位された情報が選別される。
【００５２】
図７に、位置抽出部６０５が出力する移動情報の例を示す。図７に示すように、位置抽出部６０５は、例えば、ユーザＩＤが“１２３”であるユーザについては、移動情報として位置（Ｘ１、Ｙ１）（すなわち直前に測位された位置）、位置（Ｘ２、Ｙ２）（すなわち直後に測位された位置）、及び、ユーザＩＤを出力する。
【００５３】
さて、図２に戻り、対応付け部６０３は、位置抽出部６０５が抽出した移動情報を、一定の範囲の広がりを持つ所望のエリア単位に対応付けて一のエリア単位から他のエリア単位への移動として表現する表現形式へと変換する部分である。所望のエリア単位とは、メッシュ状でもよい。或いは、市町村等の行政区画をエリア単位としてもよい。或いは、図８に模式的に示すポロノイ図を用いてもよい。図８において、中抜き円で示した位置がセクタの中心経度緯度を表す。この図に示すように、ポロノイ図とは、互いに隣接するセクタのセクタ中心経度緯度との２等分線で分割した図を言う。更に、セクタ単位の勢力図（サービスエリア図）が存在するなど、セクタと位置の対応情報があればそれを利用してもよい。
【００５４】
図９は、移動情報を所望のエリア単位に対応付けて一のエリア単位から他のエリア単位への移動として表現する表現形式へと変換する方法を説明するための図である。ここでは所望のエリア単位を正方形のグリッドとする。図９において、各グリッドを一意に識別可能とするエリア単位識別子を各グリッドの左上に丸括弧内に記入する。移動機１００の位置が特定されれば（本明細書においては（Ｘ１、Ｙ１）等と表記している）対応する一つのエリア単位が特定される。今回の例では、例えばユーザＩＤが“１２３”であるユーザの例（移動情報は、（Ｘ１、Ｙ１）→（Ｘ２、Ｙ２））では、エリア単位識別子が（３）であるエリア単位からエリア単位識別子が（５）であるエリア単位へと移動している。
【００５５】
この方法によって、対応付け部６０３は、位置抽出部６０５が抽出した移動情報を、一定の範囲の広がりをもつエリア単位に対応付けて一のエリア単位（エリア単位識別子が（３））から他のエリア単位（エリア単位識別子が（５））への移動として表現する表現形式へと変換できる。
【００５６】
属性情報保持部６０７は、移動機１００のユーザの属性情報をユーザＩＤと関連付けて保持している部分である。図１０に属性情報保持部６０７が保持する属性情報の例を示す。図１０に示すように、属性情報には例えば性別、年齢、住所を含めてもよい。
【００５７】
属性判断部６０８は、属性情報保持部６０７が保持する属性情報に基づいて移動情報を、後述する移動総計情報（それは、移動情報を統合することによって得られる）を出力するために用いるべきか否かを判断する部分である。
【００５８】
具体的には、属性判断部６０８は、属性情報保持部６０７が保持する属性情報を参照することで所望の属性が一定の要件を満たしているか否かを判断する。一定の要件を満たしていると判断した場合には、属性判断部６０８は、対応する移動情報を後述する移動総計情報を出力するために用いると判断する。一定の要件を満たしていないと判断した場合には、属性判断部６０８は、対応する移動情報を後述する移動総計情報を出力するために用いないと判断する。
【００５９】
図１１には、属性「性別」（所望の属性）が“男性”である（一定の要件を満たしている）移動情報を用いた場合の例を示す。なお、所望の属性、及び一定の要件については自由に設定することができる。
【００６０】
その他に、例えば、属性を「年齢」とし、一定の要件を“１０歳以上３０歳未満”としてもよい。或いは、例えば属性を「住所」とし、一定の要件を“中央区”としてもよい。
【００６１】
出力部６０４は、属性判断部６０８によって出力するために用いると判断された移動情報を統合することによって移動総計情報を算出し、算出した移動総計情報を出力する部分である。
【００６２】
図１２は、移動情報を統合することによって移動総計情報を算出する方法を説明するための図である。但し、図１２においては表中に記入されているべき数字を省略している。図１２における一番左の列が所望の時刻の直前に測位された位置情報に対応するエリア単位の識別子が記入されている。図１２における一番上の行が所望の時刻の直後に測位された位置情報に対応するエリア単位の識別子が記入されている。
【００６３】
図７及び図９に示す例を用いて説明する。ユーザＩＤが“１２３”であるユーザはエリア単位識別子（３）から（５）へ移動しているため、図１２のＡで示した欄の数字に１が加えられる。同様に、ユーザＩＤが“４５６”であるユーザはエリア単位識別子（７）から（８）へ移動しているため、図１２のＢで示した欄の数字に１が加えられる。ユーザＩＤが“７８９”であるユーザはエリア単位識別子（８）から（２）へ移動しているため、図１２のＣで示した欄の数字に１が加えられる。
【００６４】
上記方法により、移動情報を統合し、移動総計情報（すなわち複数の移動機１００についての移動情報をエリア単位毎に集計した情報）を算出することができる。
【００６５】
図１３に上記方法によって算出した移動総計情報の表示例を示す。この図において６角形で囲まれた領域が一つのエリア単位を示す。当該表示例では、矢印の始点に位置するエリア単位から矢印の先端に位置するエリア単位に矢印の近くに記載された数字の割合で人が移動したことを示す。
【００６６】
なお、図１３には、隣接セル間での人口流動数のみを表示しているが、本発明では、例えば図９のエリア単位識別子（８）から（２）への矢印で示すように、隣接しないセル間での人口流動数を表示することもできる点に特徴が有る。また、更なる機能として、前述した移動情報に関する所定の時刻は、時間幅を有してもよく、その時間幅は任意に設定可能とされている。このとき、位置抽出部６０５は、時間幅を有する所定の時刻における移動情報については、時間幅を複数に区切る（例えば、１時間単位で複数に区切る）ことで得られた複数の時間帯それぞれの移動情報を抽出する。そして、出力部６０４は、複数の時間帯それぞれについて移動情報を統合することで各時間帯における移動総計情報（人口流動数）を算出し、各時間帯における移動総計情報を統合する（即ち、各時間帯における人口流動数を合算する）ことで、時間幅を有する所定の時刻における移動総計情報（人口流動数）を算出する。これに伴い、出力部６０４は、時間幅を有する所定の時刻における移動総計情報（人口流動数）を出力可能となる。このように、時間幅を有する所定の時刻における移動総計情報（人口流動数）を得ることができるため、上述したように、隣接しないセル間での人口流動数を表示することが可能となる。
【００６７】
人口流動の表示はこの例に限定しない。その他にも様々な方法が考え得る。例えば、人口流動の量に応じて矢印の太さを変えてもよい。また、人口流動数に応じて矢印の色の種類を変えてもよいし、人口流動数に応じて矢印の色の濃度を変えてもよい。また、矢印表記は必須ではなく、人口流動の高低差をセクタの色分けで出力することも可能である。
【００６８】
ここでの「出力」は、表示出力および印刷出力を広く含むことは言うまでもない。即ち、人口流動数情報は、ディスプレイ等に表示出力されてもよいし、プリンタ等から印刷出力されてもよいし、表示と印刷の両方で出力されてもよい。
【００６９】
なお、出力部は、図５及び図６に記載されている「位置情報取得契機」を参照することにより、特定の信号種別（特定信号種別）によって位置情報が取得された情報のみを表示してもよい。その場合、例えば「位置情報取得契機」が“周期位置登録”である情報のみを表示してもよい。例えば、「位置情報取得契機」が“発信”である情報には偏りが存在することが分かっているような場合には、そのような特定信号種別によって生じる偏りを排除することが可能となる。
【００７０】
［通信システムにて実行される処理の流れについて］
つぎに、このように構成された通信システム１０の処理について図１４を参照して説明する。
【００７１】
移動機１００から発信要求または位置登録要求が出力されると、ＲＮＣ３００では、それら要求に従って、移動機１００の位置測位が行われる（ステップＳ１０１）。すなわち、ＲＲＣコネクション要求がＲＮＣ３００(ＲＮＣ通信制御部３０２)にて受信されると、ＲＮＣ通信制御部３０２により、その要求に対してＲＲＣコネクションセットアップが移動機１００に送信される。そして、移動機１００からＲＲＣコネクションセットアップの完了信号が、ＲＮＣ通信制御部３０２により受信される（ステップＳ１０１）。ここで得られた信号の遅延値に基づいて、移動機１００のセクタ内におけるおおよその位置情報が測位部３０１により計算され、位置測位が行われる（ステップＳ１０２：測位ステップ）。
【００７２】
そして、ＲＮＣ３００では、ＲＮＣ通信制御部３０２により、移動機１００の位置情報と、そのテンポラリＩＤとが抽出される（ステップＳ１０３）。ＲＮＣ通信制御部３０２により、抽出された位置情報とテンポラリＩＤとは、Initial  UE  Messageに付加され、交換機４００に送信される（ステップＳ１０４：送信ステップ）。
【００７３】
交換機４００では、交換機通信制御部４０１により、Initial  UE  Messageが受信され、そして当該Initial  UE  Messageに含まれているテンポラリＩＤは、変換部４０２により移動機１００の電話番号に変換される（ステップＳ１０５）。そして、記憶部４０３に、変換された電話番号、測位がなされた時刻としての時刻情報、および位置情報が対応付けて記憶される（ステップＳ１０６）。
【００７４】
記憶部４０３に記憶された電話番号、時刻情報、および位置情報は、管理センタ５００にて定期的に送信され、または管理センタ５００からの要求に従って、取得される（ステップＳ１０７）。
【００７５】
具体的には、管理センタは、（１）一定周期（例えば約一時間周期）、（２）発着信時、及び（３）位置登録エリアを越えて移動したときの少なくとも一つを契機として位置情報を取得する。
【００７６】
管理センタ５００は、ユーザＩＤ−ＰＲＡＣＨ  ＰＤ  ＧＡＩ対応情報に基づいて、ユーザ毎に、所望の時刻の直前及び直後における移動機１００の移動状況を示す情報である移動情報を抽出する（ステップＳ１０８：位置抽出ステップ）。
【００７７】
管理センタ５００は、ステップＳ１０８で抽出した移動情報を所望のエリア単位に対応付けて一のエリア単位から他のエリア単位への移動として表現する表現形式へと変換する（ステップＳ１０９）。
【００７８】
管理センタ５００は、属性情報に基づいて移動情報を、移動総計情報を出力するために用いるべきか否かを判断し、用いるべき移動情報のみを選別する（ステップＳ１１０）。
【００７９】
管理センタ５００は、移動情報を統合した情報としての移動総計情報を企業、官公庁、或いは個人等に対して出力する（ステップＳ１１０：出力ステップ）。
【００８０】
［作用及び効果について］
次に、本実施形態の通信システム１０の作用及び効果について説明する。
【００８１】
本実施形態の通信システム１０では、移動機１００の位置情報、及び測位された時刻に関する情報を簡易に且つ速やかに収集して、それらの情報に基づいて移動機１００の移動情報を統合した移動総計情報を出力することにより、巨視的な人口流動に関するデータ調査結果を簡易に且つ速やかに得ることが可能となる。
【００８２】
また、ＲＮＣ３００の測位部３０１は、移動機１００が発信を行ったとき、移動機１００が通信を受信したとき、及び、ＢＴＳ２００により形成される領域であって移動機１００が自己の位置をＲＮＣ３００に対して登録する単位領域である位置登録エリアの境界を超えて移動機１００が移動したとき、のうち少なくとも何れか一つを契機として移動機の位置を測位している。そのために、各種通信機器への追加的な付加を抑制した上で測位を実行することが可能となる。
【００８３】
また、無線ネットワーク制御装置３００の測位部３０１は、所定の周期の所定タイミングが到来したときに測位を行っている。そのために、所定周期に一回は必ず測位を実行することが可能となる。
【００８４】
また、情報分析装置６００は、位置抽出部６０５が抽出した移動情報の表現形式を、一定の範囲の広がりをもつエリア単位に対応付けて一のエリア単位から他のエリア単位への移動として表現する表現形式へと変換する対応付け部６０３を更に備える。そのために、エリア単位を所望の単位（例えば１００メートル四方、１０キロメートル四方、或いは市町村など行政区画）とすることによって要求に応じた精度で移動総計情報を出力することが可能となる。
【００８５】
また、情報分析装置６００は、通信システム１０を利用するユーザの属性を表す属性情報を、識別情報と関連付けて保持する属性情報保持部６０７と、属性情報保持部６０７が保持する属性情報に基づいて移動情報を統合して移動総計情報を出力するために用いるべきか否かを判断する属性判断部６０８を更に備える。そのために、所望の属性毎の移動総計情報を出力することが可能となる。
【００８６】
［第２実施形態］
図１５は、第２実施形態の通信システム１０ａのシステム構成図である。図１５に示すように、この通信システム１０ａは、新しい通信方式であるＬＴＥ（Long  Term  Evolution）に適用した場合のシステム構成であり、移動機１００、ｅＮＢ（Evolution  Node  B）２５０、交換機４００、および管理センタ５００を含んで構成されている。また、この管理センタ５００は、社会センサユニット５０１、ペタマイニングユニット５０２、モバイルデモグラフィーユニット５０３、および可視化ソリューションユニット５０４から構成されている。なお、ｅＮＢ２５０は、ＢＴＳ２００およびＲＮＣ３００の両方の機能を包含したものである。
【００８７】
この第２実施形態は、ＬＴＥに適用した場合のシステム構成であって、その具体的な処理内容は、上述の第１実施形態と同様であるため、その詳細説明は割愛する。なお、第１実施形態において、そのプロトコルは、ＲＡＮＡＰ（Radio  Access  Network  Application  Part）であるが、第２実施形態においては、ＬＴＥで使用するＳ１ＡＰ（S1  Application  protocol）が用いられており、Initial  UE  Messageについては、Ｓ１ＡＰにおいても同信号が用いられている。
【００８８】
また、第１実施形態、第２実施形態においては、第三世代携帯電話（３Ｇ）システムを前提として説明していたが、ＧＳＭ（Global  System  for  Mobile  Communications）においても適用可能である。
【産業上の利用可能性】
【００８９】
本発明によれば、巨視的な人口流動に関するデータを簡易に且つ速やかに（準リアルタイムに）収集し、調査結果を得ることができる。
【符号の説明】
【００９０】
１０、１０ａ…通信システム、１００…移動機、２００…ＢＴＳ、２５０…ｅＮＢ、３００…ＲＮＣ、３０１…測位部、３０２…ＲＮＣ通信制御部、４００…交換機、４０１…交換機通信制御部、４０２…変換部、４０３…記憶部、５００…管理センタ、５０１…社会センサユニット、５０２…ペタマイニングユニット、５０３…モバイルデモグラフィーユニット、５０４…可視化ソリューションユニット、６００…情報分析装置、６０１…情報分析装置通信制御部、６０３…対応付け部、６０４…出力部、６０５…位置抽出部、６０７…属性情報保持部、６０８…属性判断部、7００…加入者プロファイル情報記憶部。
【図１】
2010116916.tif 000003
【図２】
2010116916.tif 000004
【図３】
2010116916.tif 000005
【図４】
2010116916.tif 000006
【図５】
2010116916.tif 000007
【図６】
2010116916.tif 000008
【図７】
2010116916.tif 000009
【図８】
2010116916.tif 000010
【図９】
2010116916.tif 000011
【図１０】
2010116916.tif 000012
【図１１】
2010116916.tif 000013
【図１２】
2010116916.tif 000014
【図１３】
2010116916.tif 000015
【図１４】
2010116916.tif 000016
【図１５】
2010116916.tif 000017
【手続補正書】
【提出日】平成23年9月13日(2011.9.13)
【手続補正１】
【補正対象書類名】特許請求の範囲
【補正対象項目名】全文
【補正方法】変更
【補正の内容】
【特許請求の範囲】
【請求項１】
基地局が制御するセクタに在圏する移動機と、前記基地局を制御する無線ネットワーク制御装置と、前記無線ネットワーク制御装置と通信可能な状態で接続された情報分析装置と、を含んで構成される通信システムであって、
前記無線ネットワーク制御装置は、
前記移動機の位置を測位する測位部と、
前記測位部が測位した前記移動機の位置に関する情報としての位置情報、該移動機を一意に識別可能とする識別子としての識別情報、前記測位部が前記移動機の位置を測位した時刻に関する情報としての時刻情報、及び、前記測位部が測位した契機に関する契機情報を前記情報分析装置に送信する送信部と、を備え、
前記情報分析装置は、
所定の時刻における前記移動機の移動状況を示す移動情報であって、少なくとも前記位置情報に対応する情報を含む移動情報を、前記位置情報、前記識別情報、及び前記時刻情報に基づいて抽出する位置抽出部と、
前記契機情報に基づいて、前記移動情報を統合することによって移動総計情報を算出し、算出した移動総計情報を出力する出力部と、を備える
ことを特徴とする通信システム。
【請求項２】
前記測位部は、
前記移動機が発信を行ったとき、
前記移動機が通信を受信したとき、
前記基地局により形成される領域であって前記移動機が自己の位置を前記無線ネットワーク制御装置に対して登録する単位領域である位置登録エリア、の境界を超えて前記移動機が移動したとき、及び、
所定の周期の所定タイミングが到来したとき、
のうち少なくとも何れか一つを契機として、前記移動機の位置を測位する請求項１に記載された通信システム。
【請求項３】
前記情報分析装置は、前記位置抽出部が抽出した移動情報の表現形式を、一定の範囲の広がりをもつエリア単位に対応付けて一のエリア単位から他のエリア単位への移動として表現する表現形式へと変換する対応付け部を更に備える請求項１又は２に記載の通信システム。
【請求項４】
前記情報分析装置は、
前記通信システムを利用するユーザの属性を表す属性情報を、前記識別情報と関連付けて保持する属性情報保持部と、
前記属性情報保持部が保持する属性情報に基づいて前記移動情報を統合して前記移動総計情報を出力するために用いるべきか否かを判断する属性判断部と、
を更に備える請求項１〜３の何れか１項に記載の通信システム。
【請求項５】
前記所定の時刻は時間幅を有し、当該時間幅は任意に設定可能とされている、
ことを特徴とする請求項１〜４の何れか１項に記載の通信システム。
【請求項６】
前記位置抽出部は、前記時間幅を有する所定の時刻における移動情報については、前記時間幅を複数に区切ることで得られた複数の時間帯それぞれの移動情報を抽出し、
前記出力部は、前記複数の時間帯それぞれについて前記移動情報を統合することで各時間帯における移動総計情報を算出し、前記各時間帯における移動総計情報を統合することで、前記時間幅を有する所定の時刻における移動総計情報を算出する、
ことを特徴とする請求項５に記載された通信システム。
【請求項７】
前記出力部は、前記時間幅を有する所定の時刻における移動総計情報を出力する、
ことを特徴とする請求項６に記載された通信システム。
【請求項８】
移動機が在圏するセクタを制御する基地局を制御する無線ネットワーク制御装置と通信可能な状態で接続された情報分析装置であって、
前記無線ネットワーク制御装置が測位した前記移動機の位置に関する情報としての位置情報と、該移動機を一意に識別可能とする識別子としての識別情報と、前記無線ネットワーク制御装置が前記移動機を測位した時刻に関する情報としての時刻情報と、前記無線ネットワーク制御装置が測位した契機に関する契機情報とを受信する受信部と、
所定の時刻における前記移動機の移動状況を示す移動情報であって、少なくとも前記位置情報に対応する情報を含む移動情報を、前記受信部が受信した前記位置情報、前記識別情報、及び前記時刻情報に基づいて抽出する位置抽出部と、
前記契機情報に基づいて、前記移動情報を統合することによって移動総計情報を算出し、算出した移動総計情報を出力する出力部と、
を備える情報分析装置。
【請求項９】
基地局が制御するセクタに在圏する移動機と、前記基地局を制御する無線ネットワーク制御装置と、前記無線ネットワーク制御装置と通信可能な状態で接続された情報分析装置と、を含んで構成される通信システムにおいて実行される情報分析方法であって、
前記無線ネットワーク制御装置が、前記移動機の位置を測位する測位ステップと、
前記無線ネットワーク制御装置が、前記測位ステップにおいて測位された前記移動機の位置に関する情報としての位置情報、該移動機を一意に識別可能とする識別子としての識別情報、前記測位ステップにおいて前記移動機の位置が測位された時刻に関する情報としての時刻情報、及び、前記測位ステップにおいて測位した契機に関する契機情報を前記情報分析装置に送信する送信ステップと、
前記情報分析装置が、所定の時刻における前記移動機の移動状況を示す移動情報であって、少なくとも前記位置情報に対応する情報を含む移動情報を、前記位置情報、前記識別情報、及び前記時刻情報に基づいて抽出する位置抽出ステップと、
前記情報分析装置が、前記契機情報に基づいて、前記移動情報を統合することによって移動総計情報を算出し、算出した移動総計情報を出力する出力ステップと、
を備える情報分析方法。
【手続補正２】
【補正対象書類名】明細書
【補正対象項目名】０００７
【補正方法】変更
【補正の内容】
【０００７】
前記課題を解決するため、本発明の一側面に係る通信システムは、基地局が制御するセクタに在圏する移動機と、基地局を制御する無線ネットワーク制御装置と、無線ネットワーク制御装置と通信可能な状態で接続された情報分析装置と、を含んで構成される通信システムであって、無線ネットワーク制御装置は、移動機の位置を測位する測位部と、測位部が測位した移動機の位置に関する情報としての位置情報、該移動機を一意に識別可能とする識別子としての識別情報、測位部が移動機の位置を測位した時刻に関する情報としての時刻情報、及び、測位部が測位した契機に関する契機情報を情報分析装置に送信する送信部を備え、情報分析装置は、所定の時刻における移動機の移動状況を示す移動情報であって、少なくとも位置情報に対応する情報を含む移動情報を、位置情報、識別情報、及び時刻情報に基づいて抽出する位置抽出部と、契機情報に基づいて、移動情報を統合することによって移動総計情報を算出し、算出した移動総計情報を出力する出力部と、を備える。
【手続補正３】
【補正対象書類名】明細書
【補正対象項目名】００１８
【補正方法】変更
【補正の内容】
【００１８】
また、上記課題を解決するために、本発明の一側面に係る情報分析装置は、移動機が在圏するセクタを制御する基地局を制御する無線ネットワーク制御装置と通信可能な状態で接続された情報分析装置であって、無線ネットワーク制御装置が測位した移動機の位置に関する情報としての位置情報と、該移動機を一意に識別可能とする識別子としての識別情報と、無線ネットワーク制御装置が移動機を測位した時刻に関する情報としての時刻情報と、無線ネットワーク制御装置が測位した契機に関する契機情報とを受信する受信部と、所定の時刻における移動機の移動状況を示す移動情報であって、少なくとも位置情報に対応する情報を含む移動情報を、受信部が受信した位置情報、識別情報、及び時刻情報に基づいて抽出する位置抽出部と、契機情報に基づいて、移動情報を統合することによって移動総計情報を算出し、算出した移動総計情報を出力する出力部と、を備える。
【手続補正４】
【補正対象書類名】明細書
【補正対象項目名】００２０
【補正方法】変更
【補正の内容】
【００２０】
上記課題を解決するために、本発明の一側面に係る情報分析方法は、基地局が制御するセクタに在圏する移動機と、基地局を制御する無線ネットワーク制御装置と、無線ネットワーク制御装置と通信可能な状態で接続された情報分析装置と、を含んで構成される通信システムにおいて実行される情報分析方法であって、無線ネットワーク制御装置が、移動機の位置を測位する測位ステップと、無線ネットワーク制御装置が、測位ステップにおいて測位された移動機の位置に関する情報としての位置情報、該移動機を一意に識別可能とする識別子としての識別情報、測位ステップにおいて移動機の位置が測位された時刻に関する情報としての時刻情報、及び、測位ステップにおいて測位した契機に関する契機情報を情報分析装置に送信する送信ステップと、情報分析装置が、所定の時刻における移動機の移動状況を示す移動情報であって、少なくとも位置情報に対応する情報を含む移動情報を、位置情報、識別情報、及び時刻情報に基づいて抽出する位置抽出ステップと、情報分析装置が、契機情報に基づいて、移動情報を統合することによって移動総計情報を算出し、算出した移動総計情報を出力する出力ステップと、を備える。
【国際調査報告】
2010116916.tif 000018
2010116916.tif 000019
2010116916.tif 000020
2010116916.tif 000021